(57)【特許請求の範囲】
【請求項１】
自転車および当該自転車の使用者の少なくとも一方に取り付けられる角速度センサーを含むセンサー部の出力データに基づき、走行中の前記自転車のロール方向及びヨー方向の少なくとも一方の動き量を算出し、前記動き量を運転解析情報とし、
前記動き量は、ロール角及びヨー角の少なくとも一方の所定期間における平均振幅値であることを特徴とする運転解析装置。
【請求項２】
請求項１において、
前記動き量から前記使用者の運転技術レベルを判定する、運転解析装置。
【請求項３】
請求項１または２において、
前記動き量の時間変化から前記使用者の疲労度を判定する、運転解析装置。
【請求項４】
請求項１乃至３のいずれか１項において、
前記センサー部は加速度センサーを含み、
前記角速度センサーおよび前記加速度センサーの出力データに基づき、走行中の前記自転車の姿勢を算出し、前記姿勢を前記運転解析情報とする、運転解析装置。
【請求項５】
請求項１乃至４のいずれか１項において、
前記センサー部は、前記自転車のフレームに取り付けられた加速度センサーを含む第１のセンサー部と、前記自転車のクランクに取り付けられた角速度センサーを含む第２のセンサー部と、を含み、
前記第１のセンサー部から受信したデータを用いて、走行中の前記自転車の速度を算出し、
前記第２のセンサー部から受信したデータを用いて、前記クランクの回転数を算出し、
前記速度と前記回転数を用いてギア比を算出する、運転解析装置。
【請求項６】
請求項１乃至５のいずれか１項において、
前記運転解析情報を表示する表示部を備える、運転解析装置。
【請求項７】
請求項６において、
前記運転解析情報を記憶する記憶部を含み、
前記運転解析情報の履歴を前記記憶部から読み出して前記表示部に表示させる、運転解析装置。
【発明の詳細な説明】
【技術分野】
【０００１】
本発明は、例えば自転車用の運転解析装置に関する。
【背景技術】
【０００２】
ロードレースやマウンテンバイクレースのようにスポーツとして自転車を使用する場合は、如何に速く且つ疲労を少なく運転できるかが重要である。一般的に上級者になる程速く長い時間走り続けることができるが、これは脚力の強化と共に無駄の無い運転をしているためである。このような無駄の無い運転を実現するためには、自己の運転技術や疲労度を客観的に判断可能な情報が必要になる。
【０００３】
従来より、速度センサー、ケイデンスセンサー、心拍センサーなどの各種のセンサーを備え、自転車の速度、走行距離、積算距離、走行時間、ケイデンス、心拍、消費カロリーなどを測定して表示する多機能化されたサイクルコンピューターが知られており、トレーニング等に使用されている。
【先行技術文献】
【特許文献】
【０００４】
【特許文献１】特開２００５−３２４７０９号公報
【特許文献２】特開２００９−６７３２７号公報
【発明の概要】
【発明が解決しようとする課題】
【０００５】
しかしながら、既存のサイクルコンピューターでは、速度や走行距離等の情報は得られるものの、運転技術を客観的に判断可能な情報を得ることは難しい。また、既存のサイクルコンピューターでは、疲労度を判断するためには心拍数や消費カロリーの情報が必要であり、そのための専用のセンサーを取り付けなければならず、より複雑な構成とならざるを得ない。
【０００６】
本発明は、以上のような問題点に鑑みてなされたものであり、本発明のいくつかの態様によれば、従来よりも簡単な構成で様々な運転解析情報を表示可能な運転解析装置を提供することができる。
【課題を解決するための手段】
【０００７】
（１）本発明は、自転車および当該自転車の使用者の少なくとも一方に取り付けられるセンサー部と、表示器部と、を含み、前記センサー部は、加速度センサーと、角速度センサーと、前記加速度センサー及び前記角速度センサーの出力データを前記表示器部に送信する送信部とを含み、前記表示器部は、表示部と、前記センサー部からの前記出力データを受信する受信部と、前記出力データに基づいて運転解析情報を生成する運転解析情報生成部と、前記運転解析情報を前記表示部に表示させる表示制御部と、を含む、運転解析装置である。
【０００８】
運転解析情報は、自転車の運転を解析するための任意の情報であり、センサー部から得られるデータそのものや当該データに積分処理等の簡単な処理を施して得られる情報であってもよいし、このデータや情報を加工処理し、運転技術のレベル等の使用者にとってよりわかりやすくした情報であってもよい。
【０００９】
本発明によれば、加速度センサーと角速度センサーを含むセンサー部を使用することで、センサー部の取り付け位置に関係なく、運転解析情報の生成に必要な任意の方向の加速度、角速度、姿勢角の情報を取得することができる。つまり、センサー部の取り付け位置のフレキシビリティーが高く、自転車の形状に応じて取り付けやすい位置にセンサー部を取り付けることができる。逆に、表示させたい運転解析情報の種類に応じて、最も適切な位置や向きを選んでセンサー部を取り付けることで、より精度の高い運転解析情報を生成させることもできる。従って、従来よりも簡単な構成でありながら、様々な運転解析情報を表示可能な使い勝手のよい運転解析装置を実現することができる。
【００１０】
（２）この運転解析装置において、前記加速度センサーおよび前記角速度センサーの少なくとも一つは、検出軸を複数備えるようにしてもよい。
【００１１】
（３）この運転解析装置において、前記運転解析情報生成部は、前記出力データに基づいて前記自転車のロール方向及びヨー方向の少なくとも一方の動き量を算出し、前記動き量を前記運転解析情報とするようにしてもよい。
【００１２】
運転解析情報としてロール方向の動き量（ロール角の変化量）を表示することで、使用者は横揺れの程度を知ることができる。また、運転解析情報としてヨー方向の動き量（ヨー角の変化量）を表示することで、使用者はふらつきの程度を知ることができる。従って、この運転解析装置によれば、使用者は、横揺れやふらつきの程度を知ることで、自己の運転技術や疲労具合などを判断することができる。
【００１３】
（４）この運転解析装置において、前記運転解析情報生成部は、前記動き量に基づいて前記使用者の運転技術レベルを判定し、判定した運転技術レベルを前記運転解析情報とするようにしてもよい。
【００１４】
このようにすれば、使用者は、自己の運転技術レベルの客観的な評価を知ることができる。
【００１５】
（５）この運転解析装置において、前記運転解析情報生成部は、前記動き量の時間変化に基づいて前記使用者の疲労度を判定し、判定した疲労度を前記運転解析情報とするようにしてもよい。
【００１６】
このようにすれば、使用者は、自己の疲労度の客観的な評価を知ることができる。
【００１７】
（６）この運転解析装置において、前記センサー部は、前記自転車のトップチューブに取り付けられるようにしてもよい。
【００１８】
このようにすれば、自転車の横揺れやふらつきを捉えることができるので、運転技術や疲労度の判断材料となる運転解析情報を提供することができる。
【００１９】
（７）この運転解析装置において、少なくとも２つの前記センサー部を含み、第１の前記センサー部は、前記自転車のフレームに取り付けられ、第２の前記センサー部は、前記自転車のクランクに取り付けられ、前記運転解析情報生成部は、前記第１のセンサー部から受信したデータに基づいて道路の傾斜角及び前記自転車の速度を算出し、前記第２のセンサー部から受信したデータに基づいて前記クランクの回転数を算出し、さらに前記速度と前記回転数に基づいてギア比を算出し、前記運転解析情報として、前記傾斜角、前記速度、前記回転数及び前記ギア比の少なくとも１つの情報を生成するようにしてもよい。
【００２０】
このようにすれば、使用者は、例えば、道路の傾斜角と走行速度の関係、道路の傾斜角とクランクの回転数の関係、道路の傾斜角とギア比の関係を知ることができるので、例えば、自己の脚力の程度を判断することができる。
【００２１】
（８）この運転解析装置において、前記表示器部は、前記運転解析情報を記憶する記憶部をさらに含み、前記表示制御部は、前記運転解析情報の履歴を前記記憶部から読み出して前記表示部に表示させるようにしてもよい。
【００２２】
このようにすれば、使用者は運転解析情報の時間変化を知ることができるので、例えば、自己の疲労の程度を客観的に判断することができる。
【００２３】
また、例えば、前記表示器部は、前記運転解析情報を記録する不揮発性の情報記録部をさらに含み、前記表示制御部は、前記使用者の操作に基づいて、過去に前記情報記録部に記録した前記運転解析情報を前記表示部に表示させるようにしてもよい。
【００２４】
このようにすれば、使用者は現在の運転情報と過去の運転解析情報を比較することができるので、例えば、自己の運転技術や脚力の向上具合を知ることができる。
【図面の簡単な説明】
【００２５】
【図１】本実施形態の運転解析装置の構成例を示す図。
【図２】センサー部の取り付け位置の第１の例を示す図。
【図３】ロール角の時間変化のグラフの一例を示す図。
【図４】ロール角の時間変化のグラフの一例を示す図。
【図５】センサー部の取り付け位置の第２の例を示す図。
【図６】図６（Ａ）はロール角の時間変化のグラフの一例を示す図であり、図６（Ｂ）はヨー角の時間変化のグラフの一例を示す図。
【図７】図６（Ａ）はロール角の時間変化のグラフの一例を示す図であり、図６（Ｂ）はヨー角の時間変化のグラフの一例を示す図。
【図８】センサー部の取り付け位置の第３の例を示す図。
【図９】傾斜角と走行速度、回転数、ギア比との対応関係を表すグラフデータの一例を示す図。
【図１０】センサー部の取り付け位置の第４の例を示す図。
【図１１】表示器部の表示部に表示される画面の一例を示す図。
【図１２】表示器部の表示部に表示される画面の一例を示す図。
【図１３】表示器部の表示部に表示される画面の一例を示す図。
【発明を実施するための形態】
【００２６】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２７】
［運転解析装置の構成］
図１は、本実施形態の運転解析装置の構成例を示す図である。
【００２８】
本実施形態の運転解析装置１は、センサー部１０と表示器部２０を含んで構成されている。
【００２９】
センサー部１０は、３軸（ｘ軸、ｙ軸、ｚ軸）方向の角速度をそれぞれ検出する３つの角速度センサー（ジャイロセンサー）１００ｘ、１００ｙ、１００ｚ、３軸（ｘ軸、ｙ軸、ｚ軸）方向の加速度をそれぞれ検出する３つの加速度センサー１１０ｘ、１１０ｙ、１１０ｚ、フィルター・アンプ１２０、Ａ／Ｄ変換器１３０、通信インターフェース（Ｉ／Ｆ）１４０を含んで構成されている。３軸の角速度センサー１００ｘ、１００ｙ、１００ｚの各出力信号（角速度データ）と３軸の加速度センサー１１０ｘ、１１０ｙ、１１０ｚの各出力信号（加速度データ）は、フィルター・アンプでノイズ除去や増幅処理がされてＡ／Ｄ変換器１３０でディジタル化され、通信Ｉ／Ｆ１４０を介して表示器部２０に無線送信される。
【００３０】
このセンサー部１０は、自転車の任意の箇所に取り付けられてもよいし、自転車の使用者の任意の箇所に取り付けられてもよい。センサー部１０は１つであってもいいし、複数のセンサー部１０が複数の異なる箇所に取り付けられていてもよい。
【００３１】
表示器部２０は、ＣＰＵ（処理部）２００、通信インターフェース（Ｉ／Ｆ）２１０、操作部２２０、メモリー（記憶部）２３０、表示部２４０を含んで構成されている。通信インターフェース（Ｉ／Ｆ）２１０は、センサー部１０から無線送信された加速度データと角速度データを受信する受信部として機能する。
【００３２】
ＣＰＵ２００は、受信した加速度データと角速度データに基づいて、運転解析情報の生成処理を行う運転解析情報生成部２０２として機能するともに、生成した運転解析情報を表示部２４０に表示させる表示制御部２０４として機能する。ＣＰＵ２００で生成された運転解析情報は、順に、メモリー２３０（記憶部の一例）に一時的に記憶される。そして、ＣＰＵ２００で生成された運転解析情報をリアルタイムに表示部２４０に表示させることもできるし、現在からある時間だけ過去に遡った時点から現在までの運転解析情報をメモリー２３０から読み出して、運転解析情報の時間変化のグラフを表示部２４０に表示させることもできるようになっている。
【００３３】
また、ＣＰＵ２００で生成された運転解析情報の一部は、不揮発性メモリー２５０（情報記録部の一例）に記録される。そして、使用者が入力キーやタッチパネルなどの操作部２２０に対して決められた操作を行うことで、過去の所望の運転解析情報を不揮発性メモリー２５０から読み出して表示部２４０に表示させることもできるようになっている。この表示器部２０は、例えば、使用者が表示部２４０に表示される情報を見やすい位置（例えば、自転車のハンドルの中央部）に取り付けられたり、腕時計のように腕に嵌めても良い。
【００３４】
なお、センサー部１０を任意の位置に取り付けるためには、本実施形態のようにセンサー部１０と表示器部２０が無線で接続されることが望ましいが、センサー部１０と表示器部２０を有線で接続するようにしても構わない。
【００３５】
［センサー取り付け例１］
図２（Ａ）及び図２（Ｂ）は、センサー部１０の取り付け位置の第１の例を示す図である。図２（Ａ）は横方向から使用者と自転車を見た図であり、図２（Ｂ）は後ろ方向から使用者と自転車を見た図である。この第１の取り付け例では、センサー部１０は、使用者２の腰の後ろに、任意の１つの検出軸が自転車３の後方又は前方を向くように取り付けられている。ＣＰＵ２００でこの検出軸回り（図２（Ｂ）の破線矢印）の角速度データを積分処理することでロール角を算出し、現在のロール角を表示部２４０にリアルタイムに表示させることができる。また、ロール角の時間変化の情報を、グラフ化して表示部２４０に表示させたり、不揮発性メモリー２５０に記録することができる。
【００３６】
使用者は、ロール角の情報から運転技術を客観的に判断することができる。例えば、前回の走行で図３の破線で示すようなロール角の時間変化のグラフが得られ、前回と同じ条件で行った今回の走行で図３の実線に示すようなロール角の時間変化のグラフが得られたとすると、今回のロール角の平均振幅値Δａは、前回のロール角の平均振幅値Δｂよりも小さくなっている。従って、使用者は、これらのグラフを比較することで前回よりも今回の方が横揺れが小さい運転をしていることがわかり、自己の運転技術が上がったと判断することができる。
【００３７】
さらに、ＣＰＵ２００でロール角の振幅値から運転技術のレベル判定を行い、判定結果を表示部２４０に表示させることもできる。例えば、運転技術レベルをレベル１〜５の５段階（例えばレベル数が低いほど運転技術が高い）にわけて、ＣＰＵ２００でロール角の平均振幅値に応じてレベル１〜５のいずれかを判定し、判定したレベルを表示部２４０に表示するようにしてもよい。
【００３８】
また、使用者は、ロール角の時間変化の情報から疲労度を客観的に判断することができる。例えば、同じ条件で走行中に図４に示すようなロール角の時間変化のグラフが得られた場合、ロール角の平均振幅値がΔＡからΔＢに上昇したことがわかる。すなわち、走行条件が変わらないのに横揺れが大きくなったので、疲労していると判断することができる。
【００３９】
さらに、ＣＰＵ２００でロール角の振幅値の時間変化から疲労度のレベル判定を行い、判定結果を表示部２４０に表示させることもできる。例えば、疲労度をレベル１〜５の５段階（例えばレベル数が高いほど疲労度が高い）にわけて、ＣＰＵ２００でロール角の平均振幅値の変化率（例えば、運転開始直後のロール角の平均振幅値に対する現在のロール角の平均振幅値の割合）に応じてレベル１〜５のいずれかを判定し、判定したレベルを表示部２４０に表示するようにしてもよい。
【００４０】
なお、ＣＰＵ２００は、センサー部１０からの３軸の加速度データと３軸の角速度データに基づいてセンサー部１０の姿勢を算出することができるので、この姿勢の情報に基づいて自転車の前後方向のあらかじめ決められた軸の回り角度をロール角として算出するようにしてもよい。このようにすれば、センサー部１０を任意の方向に取り付けることができる。
【００４１】
［センサー取り付け例２］
図５（Ａ）、図５（Ｂ）及び図５（Ｃ）は、センサー部１０の取り付け位置の第２の例を示す図である。５（Ａ）は横方向から自転車を見た図であり、図５（Ｂ）は後ろ方向から自転車を見た図であり、図５（Ｃ）は上方向から自転車を見た図である。この第２の取り付け例では、センサー部１０は、自転車３のトップチューブに、任意の１つの検出軸（第１の検出軸）が自転車３の後方又は前方を向き、他の任意の１つの検出軸（第２の検出軸）が上方又は下方を向くように取り付けられている。ＣＰＵ２００で第１の検出軸回り（図５（Ｂ）の破線矢印）の角速度データを積分処理することでロール角を算出し、現在のロール角を表示部２４０にリアルタイムに表示させることができる。また、ＣＰＵ２００で第２の検出軸回り（図５（Ｃ）の破線矢印）の角速度データを積分処理することでヨー角を算出し、現在のヨー角を表示部２４０にリアルタイムに表示させることができる。さらに、ロール角やヨー角の時間変化の情報をグラフ化して表示部２４０に表示させたり、不揮発性メモリー２５０に記録することができる。
【００４２】
使用者は、ロール角とヨー角の情報から運転技術を客観的に判断することができる。例えば、前回の走行で図６（Ａ）の破線で示すようなロール角の時間変化のグラフと図６（Ｂ）の破線で示すようなヨー角の時間変化のグラフが得られ、前回と同じ条件で行った今回の走行で図６（Ａ）の実線に示すようなロール角の時間変化のグラフと図６（Ｂ）の実線に示すようなヨー角の時間変化のグラフが得られたとする。この場合、今回のロール角の平均振幅値Δａは、前回のロール角の平均振幅値Δｂよりも小さくなっている。従って、使用者は、これらのグラフを比較することで前回よりも今回の方が横揺れが小さい運転をしていることがわかる。また、今回のヨー角の平均振幅値Δｃは、前回のヨー角の平均振幅値Δｄよりも小さくなっている。従って、使用者は、これらのグラフを比較することで前回よりも今回の方がふらつきが小さい運転をしていることがわかる。従って、自己の運転技術が総合的に向上したと判断することができる。
【００４３】
さらに、ＣＰＵ２００でロール角の振幅値とヨー角の振幅値から運転技術のレベルを総合的に判定し、判定結果を表示部２４０に表示させることもできる。例えば、運転技術レベルをレベル１〜５の５段階（例えばレベル数が低いほど運転技術が高い）にわけて、ＣＰＵ２００でロール角の平均振幅値とヨー角の平均振幅値に応じてレベル１〜５のいずれかを総合的に判定し、判定したレベルを表示部２４０に表示するようにしてもよい。
【００４４】
また、使用者は、ロール角の時間変化とヨー角の時間変化の情報から疲労度を客観的に判断することができる。例えば、同じ条件で走行中に図７（Ａ）に示すようなロール角の時間変化のグラフと図７（Ｂ）に示すようなヨー角の時間変化のグラフが得られたとする。この場合、ロール角の平均振幅値がΔＡからΔＢに上昇するとともに、ヨー角の平均振幅値がΔＣからΔＤに上昇したことがわかる。すなわち、走行条件が変わらないのに横揺れとふらつきが大きくなったので、疲労していると判断することができる。
【００４５】
さらに、ＣＰＵ２００でロール角の振幅値の時間変化とヨー角の振幅値の時間変化から疲労度のレベルを総合的に判定し、判定結果を表示部２４０に表示させることもできる。例えば、疲労度をレベル１〜５の５段階（例えばレベル数が高いほど疲労度が高い）にわけて、ＣＰＵ２００でロール角の平均振幅値の変化率（例えば、運転開始直後のロール角の平均振幅値に対する現在のロール角の平均振幅値の割合）とヨー角の平均振幅値の変化率（例えば、運転開始直後のヨー角の平均振幅値に対する現在のヨー角の平均振幅値の割合）に応じてレベル１〜５のいずれかを総合的に判定し、判定したレベルを表示部２４０に表示するようにしてもよい。
【００４６】
なお、ＣＰＵ２００は、センサー部１０からの３軸の加速度データと３軸の角速度データに基づいてセンサー部１０の姿勢を算出することができるので、この姿勢の情報に基づいて自転車の前後方向のあらかじめ決められた軸の回り角度をロール角、自転車の上下方向のあらかじめ決められた軸の回り角度をヨー角として算出するようにしてもよい。このようにすれば、センサー部１０を自転車のフレームの任意の位置に任意の方向に取り付けることができる。
【００４７】
［センサー取り付け例３］
図８は、センサー部１０の取り付け位置の第３の例を示す図である。図８は横方向から使用者と自転車を見た図である。この第３の取り付け例では、２つのセンサー部１０ａ，１０ｂが自転車３に取り付けられている。
【００４８】
センサー部１０ａは、自転車３のフレーム（トップチューブなど）に取り付けられている。ＣＰＵ２００でセンサー部１０ａからの３軸の加速度データと３軸の角速度データに基づいてセンサー１０ａの姿勢を算出し、この姿勢の情報から道路の傾斜角θを算出することができる。
【００４９】
また、ＣＰＵ２００で、センサー部１０ａからのデータに基づいて自転車３の進行方向の加速度α[g]を算出し、この加速度αを用いて、例えば次式（１）により自転車の走行速度ｖ[m/s]を計算することができる。
【００５０】
【数１】
0005729538.tif 000002
【００５１】
センサー部１０ｂは、自転車３のクランクに、任意の１つの検出軸がクランクの回転面と垂直な方向を向くように取り付けられている。ＣＰＵ２００で、センサー部１０ｂからのデータに基づいてこの検出軸回りの角速度ω[dps]を算出し、この角速度ωを用いて、
例えば次式（２）によりクランクの回転数Ｎ[rpm]を算出することができる。
【００５２】
【数２】
0005729538.tif 000003
【００５３】
さらに、車輪の半径をｒ[m]とすると、ＣＰＵ２００で、走行速度ｖとクランクの回転数Ｎから例えば次式（３）によりギア比Ｔを計算することができる。
【００５４】
【数３】
0005729538.tif 000004
【００５５】
現在の傾斜角θ、走行速度ｖ、回転数Ｎ、ギア比Ｔを表示部２４０にリアルタイムに表示することができる。また、走行速度ｖ、傾斜角θ、回転数Ｎ、ギア比Ｔの時間変化の情報をグラフ化して表示部２４０に表示させたり、不揮発性メモリー２５０に記録することができる。
【００５６】
また、ＣＰＵ２００で、例えば図９に示すような、傾斜角θと走行速度ｖ、回転数Ｎ、ギア比Ｔとの対応関係を表すグラフデータを生成し、表示部２４０に表示させることもできる。図９において、横軸は傾斜角を表し、縦軸は走行速度、回転数、ギア比のいずれかを表す。脚力が向上すると、走行速度、回転数、ギア比のグラフの一部又は全部が上方向にシフトするので、使用者は、過去と現在のグラフデータを比較することで脚力の向上具合を判断することができる。
【００５７】
なお、ＣＰＵ２００は、センサー部１０ａからの３軸の加速度データと３軸の角速度データに基づいてセンサー部１０ａの姿勢を算出し、この姿勢の情報に基づいて進行方向を特定して走行速度ｖや傾斜角θを算出するようにしてもよい。このようにすれば、センサー部１０ａを自転車のフレームの任意の位置に任意の方向に取り付けることができる。
【００５８】
同様に、ＣＰＵ２００は、センサー部１０ｂからの３軸の加速度データと３軸の角速度データに基づいてセンサー部１０ｂの姿勢を算出し、この姿勢の情報に基づいてクランクの回転軸を特定して回転数を算出するようにしてもよい。このようにすれば、センサー部１０ｂを自転車のクランクの任意の位置に任意の方向に取り付けることができる。
【００５９】
［センサー取り付け例４］
図１０は、センサー部１０の取り付け位置の第４の例を示す図である。図１０は横方向から使用者と自転車を見た図である。この第４の取り付け例では、第１の取り付け例と同様に、１つのセンサー部１０ａが、使用者２の腰の後ろに、任意の１つの検出軸が自転車３の後方又は前方を向くように取り付けられている。また、第３の取り付け例と同様に、２つのセンサー１０ｂ，１０ｃがそれぞれ自転車３のフレームとクランクに取り付けられている。さらに、センサー１０ｂは、第２の取り付け例と同様に、自転車３のトップチューブに、任意の１つの検出軸が自転車３の後方又は前方を向き、他の任意の１つの検出軸が上方又は下方を向くように取り付けられている。
【００６０】
従って、この第４の取り付け例によれば、センサー部１０ａからのデータを用いてロール角を計算することができる。また、センサー部１０ｂからのデータを用いてロール角、ヨー角、道路の傾斜角、自転車の走行速度を計算することができる。また、センサー部１０ｃからのデータを用いてクランクの回転数を計算することができる。さらに、自転車の走行速度とクランクの回転数からギア比を計算することができる。
【００６１】
［表示器部の処理］
図１１〜図１３は、表示器部２０の表示部２４０に表示される画面の一例を示す図であり、図１１〜図１３を用いて、表示器部２０の処理について具体的に説明する。
【００６２】
図１１及び図１２は、センサーの設定画面の一例を示す図である。まず、表示器部２０の電源をＯＮすると、表示部２４０に図１１に示す初期設定画面３００が表示される。初期設定画面３００には、複数のセンサー選択ボタン（３０１、３０２、３０３、・・・）が設けられている。各センサー部１０には、あらかじめユニークなセンサー番号が割り当てられており、各センサー選択ボタンにはセンサー番号（＃１，＃２、＃３、・・・）が表示されている。例えば、センサー部１０と表示器部２０の電源を入れると、表示器部２０が、所定距離以内にある各センサー部１０との間でデータ通信を行って各センサー部１０に割り当てられたシリアル番号を取得し、センサー選択ボタンにセンサー番号として表示する。あるいは、使用可能な複数のセンサー部１０の１セットが用意されており、各センサー部１０にあらかじめ割り当てられたセンサー番号をセンサー選択ボタンに表示するようにしてもよい。
【００６３】
初期設定画面３００において、いずれかの選択ボタンのタッチ操作をすると、表示部２４０に図１２に示すセンサー設定画面３１０が表示される。センサー設定画面３１０には、複数の取り付け位置選択ボタン（３１１、３１２、３１３、・・・）が設けられている。本実施形態では、あらかじめセンサー部１０の取り付け位置の候補が決められており、各取り付け位置選択ボタンには取り付け位置の候補（「トップチューブ」，「クランク」、「腰、・・・」が表示されている。例えば、図１０に示したように３つのセンサー部１０ａ，１０ｂ，１０ｃを取り付けた場合、使用者は、センサー１０ａのセンサー設定画面３１０では「腰」が表示された取り付け位置選択ボタン３１１をタッチ操作する。また、センサー１０ｂのセンサー設定画面３１０では「トップチューブ」が表示された取り付け位置選択ボタン３１２をタッチ操作する。また、センサー１０ｃのセンサー設定画面３１０では「クランク」が表示された取り付け位置選択ボタン３１３をタッチ操作する。
【００６４】
表示器部２０は、静止状態では、各センサー部１０からの３軸方向の加速度データから重力方向がわかるので、重力方向から各センサー部１０の初期姿勢（取り付け角度）を特定することができる。表示器部２０は、各センサー部１０について初期姿勢の情報をメモリー２３０又は不揮発性メモリー２５０に保持する。
【００６５】
使用者がセンサー部１０の設定が完了して運転を開始すると、表示器部２０は、各センサー部１０からのデータに基づいて、初期姿勢からの姿勢変化を算出しながら前述した各種の運転解析情報を生成して表示部２４０に表示する。図１３は、図１０に示したように３つのセンサー部１０ａ，１０ｂ，１０ｃを取り付けた場合の運転解析情報の表示画面の一例を示す図である。図１３に示す運転解析情報表示画面３２０では、センサー部１０ａ又は１０ｂのデータから算出されるロール角、センサー部１０ｂのデータから算出されるヨー角、傾斜角、走行速度、センサー部１０ｃのデータから算出される回転数、さらに、走行速度と回転数から算出されるギア比がリアルタイム表示されている。また、これらのリアルタイム値の右側にはそれぞれ履歴ボタン（３２１，３２２，３２３，３２４，３２５，３２６）が表示されており、各履歴ボタンのタッチ操作を行うと、表示部２４０に、運転を開始してからの履歴（時間変化の情報）が表示される。例えば、履歴ボタン３２１のタッチ操作を行うと図４や図７（Ａ）に示したようなロール角の時間変化を表すグラフデータが表示され、履歴ボタン３２２のタッチ操作を行うと図７（Ｂ）に示したようなヨー角の時間変化を表すグラフデータが表示される。さらに、各履歴ボタン（３２１，３２２，３２３，３２４，３２５，３２６）のタッチ操作後の画面で所定の操作を行うことで過去の情報を表示できるようにしてもよい。
【００６６】
また、運転解析情報表示画面３２０では、ロール角やヨー角に基づいて判定した運転技術のレベルや疲労度のレベルがリアルタイム表示されている。運転技術のレベルや疲労度のレベルを知ることで、疲れにくい運転ができているか否かを判断しながらトレーニングすることができる。
【００６７】
さらに、運転解析情報表示画面３２０では、脚力解析ボタン３２７が設けられており、脚力解析ボタン３２７のタッチ操作を行うことで、表示部２４０に、例えば図９に示したようなグラフデータを含む画面が表示される。さらに、その画面で所定の操作を行うことで過去のグラフデータを表示できるようにしてもよい。現在と過去のグラフデータを比較することで、脚力が向上しているか否か（有効なトレーニングか否か）を判断しながらトレーニングすることができる。
【００６８】
以上に説明したように、本実施形態の運転解析装置は、センサー部１０に、３軸角速度センサー（１００ｘ，１００ｙ，１００ｚ）と３軸加速度センサー（１００ｘ，１００ｙ，１００ｚ）が設けられているので、センサー部１０の取り付け位置に関係なく、運転解析情報の生成に必要な任意の方向の加速度、角速度、姿勢角の情報を取得することができる。つまり、センサー部１０の取り付け位置のフレキシビリティーが高く、自転車の形状に応じて取り付けやすい位置にセンサー部１０を取り付けることができる。逆に、表示させたい運転解析情報の種類に応じて、最も適切な位置や向きを選んで１つ又は複数のセンサー部１０を取り付けることで、より精度の高い運転解析情報を生成させることもできる。従って、従来よりも簡単な構成でありながら、様々な運転解析情報を表示可能な使い勝手のよい運転解析装置を実現することができる。
【００６９】
本発明は本実施形態に限定されず、本発明の要旨の範囲内で種々の変形実施が可能である。
【００７０】
例えば、本実施形態では、センサー部１０が３軸の加速度センサーと３軸の角速度センサーを含む構成であるが、検出軸は１軸、２軸、または４軸以上であっても良い。例えば、センサー部１０が４軸以上の加速度センサーや４軸以上の角速度センサーを含み、表示器部２０が、４軸以上の加速度データや４軸以上の角速度データに基づいて、センサー部１０の所定の軸方向の加速度、所定の軸回りの角速度、あるいは姿勢を算出し、算出結果に基づいて運転解析情報を生成するようにしてもよい。また他の形態として、１軸または２軸検出の加速度センサーと角速度センサーの出力データに基づいて、計算により他軸の加速度または角速度を求めても良い。また、本実施形態では二輪車の形態を説明したが、二輪車に限らず一輪車であったり、三輪以上の自転車にも適用可能である。
【００７１】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００７２】
１  運転解析装置、２  使用者、３  自転車、１０，１０ａ，１０ｂ，１０ｃ  センサー部、２０  表示器部、１００ｘ，１００ｙ，１００ｚ，  角速度センサー、１１０ｘ，１１０ｙ，１１０ｚ，  加速度センサー、１２０  フィルター・アンプ、１３０  Ａ／Ｄ変換器、１４０  通信インターフェース（Ｉ／Ｆ）、２００  ＣＰＵ、２０２  運転解析情報生成部、２０４  表示制御部、２１０  通信インターフェース（Ｉ／Ｆ）、２２０  操作部、２３０  メモリー、２４０  表示部、２５０  不揮発性メモリー、３００  画面、３０１，３０２，３０３  センサー選択ボタン、３１０  画面、３１１，３１２，３１３  取り付け位置選択ボタン、３２０  画面、３２１，３２２，３２３，３２４，３２５，３２６  履歴ボタン、３２７  脚力解析ボタン
【図１】
0005729538.tif 000005
【図２】
0005729538.tif 000006
【図３】
0005729538.tif 000007
【図４】
0005729538.tif 000008
【図５】
0005729538.tif 000009
【図６】
0005729538.tif 000010
【図７】
0005729538.tif 000011
【図８】
0005729538.tif 000012
【図９】
0005729538.tif 000013
【図１０】
0005729538.tif 000014
【図１１】
0005729538.tif 000015
【図１２】
0005729538.tif 000016
【図１３】
0005729538.tif 000017